【手続補正書】
【提出日】平成27年5月8日(2015.5.8)
【手続補正１】
【補正対象書類名】特許請求の範囲
【補正対象項目名】全文
【補正方法】変更
【補正の内容】
【特許請求の範囲】
【請求項１】
アクティブ・ノイズ・コントロール・システムであって、
所定のノイズ・コントロール・ゾーンに関して定義される複数の所定のノイズ検知場所での音響ノイズを表す複数のノイズ入力を受信し、
前記所定のノイズ・コントロール・ゾーン内にある複数の所定の残留ノイズ検知場所での音響残留ノイズを表す複数の残留ノイズ入力を受信し、
前記複数のノイズ入力と前記複数の残留ノイズ入力とに基づき、ノイズ・コントロール・パターンを決定し、
前記ノイズ・コントロール・パターンを少なくとも１つの音響変換器に出力する、
前記所定のノイズ・コントロール・ゾーン内のノイズをコントロールするコントローラを含むアクティブ・ノイズ・コントロール・システム。
【請求項２】
前記コントローラは、前記複数のノイズ入力から、統計的に独立している複数の独立参照パターンを抽出し、前記コントローラは、前記複数の独立参照パターンの少なくとも１つの独立参照パターンに基づき、前記ノイズ・コントロール・パターンを決定する、請求項１に記載のアクティブ・ノイズ・コントロール・システム。
【請求項３】
前記コントローラは、前記ノイズ・コントロール・ゾーン内でコントロールする少なくとも１つの所定のノイズ・パターンの１つ以上の所定の音響パターン属性に基づき前記複数の独立参照パターンから少なくとも１つの独立参照パターンを選択する、請求項２に記載のアクティブ・ノイズ・コントロール・システム。
【請求項４】
前記音響パターン属性は、振幅、エネルギー、位相、周波数、方向、および、統計的特性からなる群から選択した少なくとも１つの属性を含む、請求項３に記載のアクティブ・ノイズ・コントロール・システム。
【請求項５】
前記コントローラは、所定の抽出関数を前記複数のノイズ入力に適用することによって前記複数の独立参照パターンを抽出する、請求項２に記載のアクティブ・ノイズ・コントロール・システム。
【請求項６】
前記コントローラは、前記ノイズ・コントロール・ゾーン内の少なくとも１つのノイズを低減するために前記ノイズ・コントロール・パターンを決定し、前記ノイズ・パターンが、エネルギーおよび振幅からなる群から選択される少なくとも１つのパラメータを含む、請求項１に記載のアクティブ・ノイズ・コントロールシステム。
【請求項７】
前記コントローラは、前記ノイズ・コントロール・ゾーン内の１つ以上の第２のノイズ・パターンを低減することなく、前記ノイズ・コントロール・ゾーン内の１つ以上の所定の第１のノイズ・パターンを選択的に低減するために前記ノイズ・コントロール・パターンを決定する、請求項１ないし６のいずれか１項に記載のアクティブ・ノイズ・コントロール・システム。
【請求項８】
前記ノイズ・コントロール・ゾーンは、車両内にあり、
前記１つ以上の第１のノイズ・パターンは、ロード・ノイズ・パターン、ウィンド・ノイズ・パターン、およびエンジン・ノイズ・パターンからなる群から選択した少なくとも１つのパターンを含み、
前記１つ以上の第１のノイズ・パターンは、前記車両内にあるオーディオ・デバイスのオーディオ・ノイズ・パターン、クラクション・ノイズ・パターン、およびサイレン・ノイズ・パターン、機能的信号、およびハザード信号からなる群から選択した少なくとも１つのパターンを含む、請求項７に記載のアクティブ・ノイズ・コントロール・システム。
【請求項９】
前記コントローラは、前記複数の所定のノイズ検知場所での前記音響ノイズを生成する１つ以上の実際のノイズ源の１つ以上のノイズ源属性に関連する情報を持つことなく前記ノイズ・コントロール・パターンを決定する、請求項１ないし６のいずれか１項に記載のアクティブ・ノイズ・コントロール・システム。
【請求項１０】
前記ノイズ源属性は、前記ノイズ源の数、前記ノイズ源の場所、前記ノイズ源のタイプ、および１つ以上の前記ノイズ源によって生成される１つ以上のノイズ・パターンの１つ以上の属性からなる群から選択される少なくとも１つの属性を含む、請求項９に記載のアクティブ・ノイズ・コントロール・システム。
【請求項１１】
前記ノイズ検知場所は、前記ノイズ・コントロール・ゾーンを囲むエンクロージャに分散する、請求項１ないし６のいずれか１項に記載のアクティブ・ノイズ・コントロール・システム。
【請求項１２】
１つ以上の前記複数のノイズ検知場所での前記音響ノイズを検知するための１つ以上の第１の音響センサーと、
１つ以上の前記複数の残留ノイズ検知場所での前記音響残留ノイズを検知するための１つ以上の第２の音響センサーと
を含む、請求項１ないし６のいずれか１項に記載のアクティブ・ノイズ・コントロール・システム。
【請求項１３】
請求項１ないし６のいずれか１項に記載のアクティブ・ノイズ・コントロール・システムを備え、前記ヘッドレストのユーザの頭の周りに前記ノイズ・コントロール・ゾーンを維持するヘッドレストであって、
前記ヘッドレストは、
前記複数のノイズ検知場所の１つ以上での音響ノイズを検知する、前記ヘッドレストの背面に配置された１つ以上の第１の音響センサーと、
前記複数の残留ノイズ検知場所の１つ以上での音響残留ノイズを検知する、１つ以上の第２の音響センサーと、
前記コントローラと、
前記ノイズ・コントロール・パターンに基づいた音響パターンを生成する前記ヘッドレストの両側に配置された２つ以上の音響変換器と
を具備するヘッドレスト。
【請求項１４】
アクティブ・ノイズ・コントロールの方法であって、
所定のノイズ・コントロール・ゾーンに関して定義される複数の所定のノイズ検知場所での音響ノイズを決定することと、
前記所定のノイズ・コントロール・ゾーン内にある複数の所定の残留ノイズ検知場所での音響残留ノイズを決定することと、
前記複数の所定のノイズ検知場所での前記音響ノイズと前記複数の所定の残留ノイズ検知場所での音響残留ノイズに基づき、前記ノイズ・コントロール・ゾーン内の前記音響ノイズをコントロールするためのノイズ・コントロール・パターンを決定することと、
前記ノイズ・コントロール・パターンを少なくとも１つの音響変換器に出力することと
を含むアクティブ・ノイズ・コントロールの方法。    
【請求項１５】
統計的に独立している複数の独立参照パターンを前記音響ノイズから抽出することを含み、前記ノイズ・コントロール・パターンを決定することが、前記複数の独立参照パターンの少なくとも１つの独立参照パターンに基づき、前記ノイズ・コントロール・パターンを決定することを含む、請求項１４に記載の方法。
【請求項１６】
前記ノイズ・コントロール・パターンを決定することが、前記ノイズ・コントロール・ゾーン内の少なくとも１つのノイズ・パラメータを低減するために前記ノイズ・コントロール・パターンを決定することを含み、前記ノイズ・パラメータは、エネルギーおよび振幅からなる群から選択した少なくとも１つのパラメータを含む、請求項１４に記載の方法。
【請求項１７】
前記ノイズ・コントロール・パターンを決定することが、前記ノイズ・コントロール・ゾーン内の１つ以上の第２のノイズ・パターンを低減することなく、前記ノイズ・コントロール・ゾーン内の１つ以上の所定の第１のノイズ・パターンを選択的に低減するために前記ノイズ・コントロール・パターンを決定することを含む請求項１４ないし１６のいずれか１項に記載の方法。
【請求項１８】
前記ノイズ・コントロール・パターンを決定することは、前記複数の所定のノイズ検知場所での音響ノイズを生成する１つ以上の実際のノイズ源の１つ以上のノイズ源属性に関連する情報を持つことなく前記ノイズ・コントロール・パターンを決定することを含む請求項１４ないし１６のいずれか１項に記載の方法。
【請求項１９】
前記ノイズ検知場所は、前記ノイズ・コントロール・ゾーンを囲むエンクロージャに分散する請求項１４ないし１６のいずれか１項に記載の方法。
【請求項２０】
マシンによって実行されると以下の、
前記所定のノイズ・コントロール・ゾーンに関して定義される複数の所定のノイズ検知場所での音響ノイズと、前記所定のノイズ・コントロール・ゾーン内にある前記複数の所定の残留ノイズ検知場所での音響残留ノイズに基づき、前記ノイズ・コントロール・ゾーン内の前記音響ノイズをコントロールするためのノイズ・コントロール・パターンを決定し、
前記ノイズ・コントロール・パターンを少なくとも１つの音響変換器に出力する
結果をもたらす命令を保存した非一時的な記憶媒体を含む製品。
【請求項２１】
前記命令は、前記音響ノイズから、統計的に独立した複数の独立参照パターンを抽出し、前記複数の独立参照パターンの少なくとも１つの独立参照パターンに基づき、前記ノイズ・コントロール・パターンを決定する結果をもたらす、請求項２０に記載の製品。
【請求項２２】
前記ノイズ・コントロール・パターンを決定することは、前記ノイズ・コントロール・ゾーン内の１つ以上の所定の第１のノイズ・パターンを選択的に減少させながら、前記ノイズ・コントロール・ゾーン内の１つ以上の第２のノイズ・パターンを選択的に減少させないように、前記ノイズ・コントロール・パターンを決定することを含む、請求項２０または２１に記載の製品。